(57)【要約】【課題】所定の期間における気象情報を用いて運動計画を演算することで、実現可能性が高い運動計画を作成することができる運動スケジュールシステムを提供することである。【解決手段】所定の期間における運動量の目標を設定する目標設定手段８と、気象情報を取得する気象情報取得手段９と、複数の運動項目と運動項目毎の単位時間あたりの運動量と運動項目を行うことが可能な気象条件とを記憶する運動情報記憶手段１０と、所定の期間の運動計画を作成する運動計画作成手段１１とを有し、運動計画作成手段１１は、気象情報取得手段９で所定の期間の気象情報を取得し、目標の運動量を達成するように、気象条件を満たす運動項目を選択して所定の期間における運動計画を作成する。【選択図】図１
2011215736.tif 000002
【特許請求の範囲】
【請求項１】
所定の期間における運動量の目標を設定する目標設定手段と、
気象情報を取得する気象情報取得手段と、
複数の運動項目と当該運動項目毎の単位時間あたりの運動量と当該運動項目を行うことが可能な気象条件とを記憶する運動情報記憶手段と、
前記所定の期間の運動計画を作成する運動計画作成手段とを有し、
前記運動計画作成手段は、前記気象情報取得手段で前記所定の期間の気象情報を取得し、前記目標の運動量を達成するように、前記気象条件を満たす前記運動項目を選択して所定の期間における運動計画を作成することを特徴とする運動スケジュールシステム。
【請求項２】
過去の運動量の平均値を演算する演算手段を有し、
前記運動計画作成手段は、前記平均値から所定の範囲に含むように、前記所定の期間における運動計画を作成することを特徴とする請求項１に記載の運動スケジュールシステム。
【請求項３】
過去の運動量の最大値を選択する手段を有し、
前記運動計画作成手段は、前記最大値を超えないように、前記所定の期間における運動計画を作成することを特徴とする請求項１に記載の運動スケジュールシステム。
【請求項４】
過去の運動量の最小値を選択する手段を有し、
前記運動計画作成手段は、前記最小値を下回らないように、前記所定の期間における運動計画を作成することを特徴とすることを特徴とする請求項１に記載の運動スケジュールシステム。
【請求項５】
過去の運動量の平均値を演算する演算手段を有し、
前記運動スケジュールシステムは、前記平均値から所定の範囲に含まれるもののみを用いて、その所定の範囲内における平均値である基準値を演算し、
前記運動計画作成手段は、前記基準値から所定の範囲に含むように、前記所定の期間における運動計画を作成することを特徴とする請求項１に記載の運動スケジュールシステム。
【請求項６】
過去の運動量の平均値を演算する演算手段を有し、
前記運動スケジュールシステムは、前記平均値から所定の範囲に含まれるもののみを用いて、その所定の範囲の最大値である上限値を選択し、
前記運動計画作成手段は、前記上限値を超えないように、前記所定の期間における運動計画を作成することを特徴とする請求項１に記載の運動スケジュールシステム。
【請求項７】
前記所定の期間における使用者の運動可能時間帯を設定する手段を有し、
前記運動情報記憶手段は前記運動項目を行うために最小限必要な最小時間情報を記憶しており、
前記運動計画作成手段は、さらに、前記最小時間情報を参照して、前記運動可能時間帯に運動を行える運動項目を選択することで運動計画を作成することを特徴とする請求項１ないし６のいずれかに記載の運動スケジュールシステム。
【発明の詳細な説明】
【技術分野】
【０００１】
本発明は、運動スケジュールシステムに関する。
【背景技術】
【０００２】
従来から、特開２００７−１１５２００号公報（特許文献１）又は特開２００７−３２３２４６号公報（特許文献２）に示されるような運動スケジュールシステムが知られている。
【先行技術文献】
【特許文献】
【０００３】
【特許文献１】特開２００７−１１５２００号公報
【特許文献２】特開２００７−３２３２４６号公報
【発明の概要】
【発明が解決しようとする課題】
【０００４】
しかしながら、上記先行技術文献に開示されている発明では、天候により運動計画が実行できないことが多く、計画通りに目標とする運動量を達成することが困難である。
本発明は、このような背景を鑑みてなされたものであり、気象情報を用いて目標とする運動量を達成することのできる運動スケジュールシステムを提供することを目的とする。
【課題を解決するための手段】
【０００５】
本発明による運動スケジュールシステムは、所定の期間における運動量の目標を設定する目標設定手段と、気象情報を取得する気象情報取得手段と、複数の運動項目と当該運動項目毎の単位時間あたりの運動量と当該運動項目を行うことが可能な気象条件とを記憶する運動情報記憶手段と、所定の期間の運動計画を作成する運動計画作成手段とを有し、運動計画作成手段は、気象情報取得手段で所定の期間の気象情報を取得し、目標の運動量を達成するように、気象条件を満たす運動項目を選択して所定の期間における運動計画を作成する。
ある好適な実施形態において、過去の運動量の平均値を演算する演算手段を有し、運動計画作成手段は平均値から所定の範囲に含むように、所定の期間における運動計画を作成する。
ある好適な実施形態において、過去の運動量の最大値を選択する最大値選択手段を有し、運動計画作成手段は、最大値を超えないように、所定の期間における運動計画を作成する。
ある好適な実施形態において、過去の運動量の最小値を選択する最小値選択手段を有し、運動計画作成手段は、最小値を超えるように、所定の期間における運動計画を作成する。
ある好適な実施形態において、過去の運動量の平均値を演算する演算手段を有し、平均値から所定の範囲に含まれるもののみを用いて、その所定の範囲の最小値である下限値を選択し、運動計画作成手段は、下限値を超えるように、所定の期間における運動計画を作成する。
【０００６】
ある好適な実施形態において、過去の運動量の平均値を演算する演算手段を有し、平均値から所定の範囲に含まれるもののみを用いて、その所定の範囲内における平均値である基準値を演算し、運動計画作成手段は、基準値から所定の範囲に含むように、所定の期間における運動計画を作成する。
ある好適な実施形態において、過去の運動量の平均値を演算する演算手段を有し、平均値から所定の範囲に含まれるもののみを用いて、その所定の範囲の最大値である上限値を選択し、運動計画作成手段は、上限値を超えないように、所定の期間における運動計画を作成する。
ある好適な実施形態において、所定の期間における使用者の運動可能時間帯を設定する運動時間設定手段を有し、運動情報記憶手段は運動項目を行うために最小限必要な最小時間情報を記憶しており、運動計画作成手段は、さらに、最小時間情報を参照して、運動可能時間帯に運動を行える運動項目を選択することで運動計画を作成する。
【発明の効果】
【０００７】
本発明によると、所定の期間における気象情報を用いて運動計画を作成することで、実現可能性が高い運動計画を作成することができる。
【図面の簡単な説明】
【０００８】
【図１】本発明の一実施形態である運動量管理システムの構成を表したシステム構成図である。
【図２】本発明の一実施形態である運動スケジュールシステムの構成を表したブロック図である。
【図３】本発明の一実施形態である運動スケジュールシステムの処理の流れを表した流れ図である。
【図４】本発明の一実施形態である運動スケジュールの表示を表した図である。
【図５】本発明の一実施形態である使用者の過去の運動量を表した図である。
【図６】本発明の一実施形態である使用者の平日及び休日の運動量を表した図である。
【発明を実施するための形態】
【０００９】
図１は本発明の一実施形態における運動スケジュールシステムの構成を表わしたものである。この運動スケジュールシステム１は、通信ネットワークであるインターネット２を利用するようになっている。
インターネット２には、本実施形態で気象情報を提供する気象情報配信装置３と、各家庭に設けられたホームゲートウェイ４とが接続されている。
本実施形態で使用されるホームゲートウェイ４には、運動スケジュール装置５と、運動器具６と、表示装置７とが接続されている。
図２に示すように、運動スケジュール装置５は、目標設定部８と、気象情報取得部９と、運動情報記憶部１０と、運動計画作成部１１と、演算部１２とを備えている。
目標設定部８は、所定の期間とその所定の期間に行う運動量（運動目標）を使用者が設定するものである。この運動目標は、例えば使用者が「１週間で運動量２０００キロカロリー」のように設定を行う。この設定に際して、使用者は過去に使用した運動器具６の運動量を参照してもよい。
気象情報取得部９は、インターネット２を経由して気象情報配信装置３から運動を行う条件となる気象情報を取得する。気象情報配信装置３として、財団法人日本気象協会や民間気象情報サービス提供会社が行っている気象情報配信サービスを用いてもよい。
運動情報記憶部１０は、少なくとも運動スケジュール装置５に接続された運動器具６の情報が記憶されている。運動器具６の情報とは、運動器具６の種類、それぞれの器具の運動コース内容、各運動コースの単位時間あたりの運動量及びそれぞれの器具を使用可能な気象条件である。
運動器具６としては、例えば乗馬フィットネス機器がある。この乗馬フィットネス機器の運動コース内容はソフト、ハード及びパワフルなどがある。また、それぞれのコースにおいて消費される運動量は使用時間、使用速度及び使用者の体重などのデータを用いて算出される。なお、この乗馬フィットネス機器は屋内で使用されるものであるため、どのような気象条件でも行うことができる。
また、運動情報記憶部１０には、運動スケジュール装置５に接続された運動器具６を用いないランニングやテニスなどの屋外での運動やスイミングやヨガなどの屋内での運動に関する情報も含まれている。この運動に関する情報とは、ランニングであれば運動可能な天気（晴れ又は曇り）及び１分あたりの消費運動量であり、スイミングであれば運動可能な天気（全天気）及び泳法毎の５０ｍあたりの消費運動量である。
運動計画作成部１１は、少なくとも気象情報取得部９と運動情報記憶部１０と目標設定部８とに接続されている。運動計画作成部１１は目標設定部８に記憶された所定の期間と運動量の目標との情報を取得する。そして、運動計画作成部１１は、気象情報取得部９からこの所定の期間における気象情報を取得する。さらに、運動計画作成部１１は所定の期間の気象情報と、運動情報記憶部１０に記憶された運動内容、運動内容毎の単位時間あたりの運動量及び運動可能な気象条件とを用いて、この気象情報と運動可能な天気の情報とが一致し、かつ、目標の運動量を達成するように運動スケジュールを作成する。
図３は、運動スケジュール装置１の処理の概要を表したものである。まず、使用者は運動目標を設定すべく、目標設定部８に所定の期間を「明日から３日間」と、運動目標を「１日あたり２００キロカロリー」と入力する（ステップＳ０１）。
所定の期間における気象情報をインターネット２を経由して気象情報配信装置３から入手する（ステップＳ０２）。
気象情報が晴れまたは曇りの日は、運動計画作成部１３は運動情報記憶部１０から晴れまたは曇りの日に可能な運動項目と、運動項目それぞれの１分あたりの消費運動量に関する情報を取得する。そして、運動計画作成部１３は、その日の目標の運動量（２００キロカロリー）を消費するのに適切な運動項目（例えば、ランニング）を選択し、その運動時間（例えば、３０分）を選択する（ステップＳ０３）。
気象情報が雨または雪の日は、運動計画作成部１３は、運動スケジュール装置５に接続された運動器具６の存在の有無を検知する（ステップＳ０４）。
運動スケジュール装置５に接続された運動器具６がある場合は、運動計画作成部１３は運動情報記憶部１０から運動スケジュール装置５に接続された運動器具６に関する情報（運動項目及び運動項目それぞれの１分あたりの消費運動量）を取得する。そして、運動計画作成部１３は、その日の目標の運動量（２００キロカロリー）を消費するのに適切な運動項目（例えば、乗馬フィットネス機器のソフトコース）を選択し、その運動時間（例えば、３０分）を選択する（ステップＳ０５）。
また、運動スケジュール装置５に接続された運動器具６がない場合は、運動計画作成部１３は運動情報記憶部１０から雨または雪に可能な運動項目と、運動項目それぞれの１分あたりの消費運動量に関する情報を取得する。そして、運動計画作成部１３は、その日の目標の運動量（２００キロカロリー）を消費するのに適切な運動項目（例えば、スイミング）を選択し、その運動時間（例えば、１５分）を選択する（ステップＳ０６）。
そして、表示装置７に所定の期間の運動スケジュールを表示する（ステップ０７）。気象情報として１日目が晴れ、２日目が曇り、３日目が雨で、運動スケジュール装置に接続された運動機器６がある場合は、図４のように運動スケジュールが表示される。
また、過去のデータを利用して運動計画を演算することにより、実現可能性の高い運動計画が作成することができる。これを次に説明する。
図５は、使用者の過去の運動量のデータを表したものである。日々の運動量のデータは運動計画作成部１３に蓄えられている。演算部１２は、（１３１０＋１４２０＋１２９０＋１０１０＋１０１０＋１５０＋１２８０＋２３００＋１４５０＋１４７０）÷１０＝１３９０キロカロリーと過去の運動量の平均値を自動的に演算し、その平均値を目標の運動量として目標設定部８に設定する。そして、毎日１３９０キロカロリーの運動量を消費するように、気象情報取得部９から得た気象情報を用いて、運動計画作成部１１で毎日の運動計画を作成する。なお、運動項目によってはちょうど１３９０キロカロリーにならないものもあるので、その場合は平均値である１３９０キロカロリーから例えば１割減（１２５１キロカロリー）から１割増（１５２９キロカロリー）など所定の範囲に含まれるような、運動項目を選択して運動計画を作成する。
また、図６は異なる使用者の過去の運動データを表したものである。この図に示すように、平日は仕事をしているなどの事情で毎日同量の運動ができない場合がある。この場合は、平日と休日とそれぞれ別に演算部１２で平均値を演算するようにしても良い。平日の平均値は、（１５０＋２００＋１００＋３００＋１００＋５０＋３００＋４００＋１００＋１００）÷１０＝１８０キロカロリーであり、この１８０キロカロリーを平日の運動目標として目標設定部８に設定をする。また、休日の平均値は（９００＋２２００＋５００＋８００）÷４＝１１００キロカロリーであり、この１１００キロカロリーを休日の運動目標として目標設定をする。このように使用者の生活様式に沿って目標設定を行うことにより、より実現可能性の高い運動計画を作成することが可能になる。
また、図５の１月６日のように殆ど運動のしていない日や、１月８日のように際立って多く運動をした日がある場合がある。この場合は、平均値を求める際にこれらの日のデータを含めずに平均値を演算して得られる、（１３１０＋１４２０＋１２９０＋１０１０＋１０１０＋１２８０＋１４５０＋１４７０）÷８＝１２８０キロカロリーを基準値として、運動目標とするとより実現可能性の高い運動計画が作成される。
なお、演算に含めない日の選定に際しては、消費カロリーが平均値の５０％以下及び３０％以上のように所定の範囲外の値の日を選定するとよい。
運動目標として、過去の平均値ではなく最大値を選択してもよい。図６のデータでは、平日の最大値は４００キロカロリーであるので、平日の運動目標を４００キロカロリーとする。また、休日の最大値は２２００キロカロリーであるので、休日の運動目標を２２００キロカロリーとする。これにより、平均値で演算した運動スケジュールよりも、より短い期間で実現可能性のある運動スケジュールを作成することができる。なお、平日又は休日のそれぞれの平均値から所定の範囲を超えている日がある場合は、その日の値を含めないで最大値を算出し運動スケジュールを作成すると良い。
例えば、休日のデータでは所定の範囲を平均値の＋５０％と設定した場合は、所定の範囲の上限は１６５０キロカロリーとなるので、その値以上のデータである２２００キロカロリー（２月７日）は含めずに運動目標である最大値を選択し、９００キロカロリーを運動目標とする。外れ値を削除して平均値を求めてスケジュールを作成することにより、より実現性の高い運動スケジュールを作成することができる。
また、上記の最大値と同様に、運動目標として過去の平均値ではなく最小値を選択してもよい。図６のデータでは、平日の最小値は５０キロカロリーであるので、平日の運動目標を５０キロカロリーとする。また、休日の最小値は５００キロカロリーであるので、休日の運動目標を５００キロカロリーとする。これにより、平均値で演算した運動スケジュールよりもより短い期間で実現可能性のある運動スケジュールを作成することができる。なお、平日又は休日のそれぞれの平均値から所定の範囲を超えている日がある場合は、その日の値を含めないで最小値を算出し運動スケジュールを作成すると良い。
さらに、図示しないが、使用者のスケジュールを記憶するスケジュール記憶装置（運動時間設定手段）を用いても良い。使用者は入力装置などを用いて、所定の期間におけるスケジュールを入力する。例えば、使用者の運動以外のスケジュールを入力し、スケジュールの入っていない時間帯に運動スケジュールを作成する。また、「平日の１０時から１７時の間は可能」や「平日の２０時から２２時の間と休日の６時から１８時の間は可能」のように運動が可能な日を入力してもよい。このスケジュール記憶装置は運動スケジュール装置５に接続されており、スケジュール記憶装置を用いることで、より実現性の高い運動スケジュールを作成することができる。
さらに、運動情報記憶部１０にそれぞれの運動項目を行うために最小限必要な時間に関する情報を記憶していることが好ましい。最小限必要な時間の情報と、スケジュール記憶装置に記憶された使用者のスケジュールとを用いて、短い空き時間（運動可能時間）にも運動を行うことが可能な運動スケジュールを作成することができる。これにより、運動可能時間の長さに応じて、最適な運動を選択して運動スケジュールを作成することができるので、運動する時間が少ししか取れない使用者にとってより実効性の高い運動スケジュールが作成することができる。
【符号の説明】
【００１０】
１  運動スケジュールシステム
２  インターネット
３  気象情報配信装置
４  ホームゲートウェイ
５  運動スケジュール装置
６  運動器具
７  表示装置
８  目標設定部（目標設定手段）
９  気象情報取得部（気象情報取得手段）
１０  運動情報記憶部（運動情報記憶手段）
１１  運動計画作成部（運動計画作成手段）
１２  演算部（演算手段）
【図１】
2011215736.tif 000003
【図２】
2011215736.tif 000004
【図３】
2011215736.tif 000005
【図４】
2011215736.tif 000006
【図５】
2011215736.tif 000007
【図６】
2011215736.tif 000008